(57)【要約】      （修正有）【課題】混色の粘土を得る際に、簡便に適切な分量の粘土を量ることのできる粘土計量カップを提供する。【解決手段】粘土計量カップは、ポリプロピレン製で、平面視で矩形状の外形を有し、縦５０ｍｍ×横８０ｍｍ×高さ８ｍｍの外形寸法を有している。また、粘土計量カップの底部外周には鍔部５０が形成されており、これにより、粘土計量カップを机等に置いて作業する時、がたつかずに安定して置くことができる。また、粘土計量カップの表面には、第１の計量凹部１１、第２の計量凹部１２、及び第３の計量凹部１３のそれぞれ容量の異なる３個の計量凹部が形成されている。各計量凹部１１，１２，１３は略直方体形状を有しており、各計量凹部１１，１２，１３の開口部周縁には立ち上がり部２１，２２，２３がそれぞれ突設されている。【選択図】図１
0003172111.tif 000002
【実用新案登録請求の範囲】
【請求項１】
複数の粘土を配合し、混色の粘土を得る際に使用する粘土計量カップであって、
所定の容量の第一の計量凹部と、
第一の計量凹部の容量と異なる所定の容量の第二の計量凹部とを有することを特徴とする粘土計量カップ。
【請求項２】
前記第一の計量凹部及び前記第二の計量凹部の容量と異なる所定の容量の第三の計量凹部を有することを特徴とする請求項１に記載の粘土計量カップ。
【請求項３】
前記第二の計量凹部の容量が前記第一の計量凹部の容量の２倍であり、前記第三の計量凹部の容量が前記第二の計量凹部の容量の２倍であることを特徴とする請求項２に記載の粘土計量カップ。
【請求項４】
前記第一の計量凹部に目盛を設けたことを特徴とする請求項３に記載の粘土計量カップ。
【請求項５】
前記計量凹部の形状がそれぞれ略直方体であることを特徴とする請求項１から４のいずれか１の請求項に記載の粘土計量カップ。
【請求項６】
前記各計量凹部の近傍に該各計量凹部を指定する印が記されていることを特徴とする請求項１から５のいずれか１の請求項に記載の粘土計量カップ。
【請求項７】
前記各計量凹部の開口部周縁に立ち上がり部が突設されており、該立ち上がり部に当接可能な粘土計量カップ用蓋を備えていることを特徴とする請求項１から６のいずれか１の請求項に記載の粘土計量カップ。
【考案の詳細な説明】
【技術分野】
【０００１】
本考案は、複数の粘土を配合し、混色の粘土を得る際に使用する、粘土計量カップに関する。
【背景技術】
【０００２】
従来、複数の粘土を配合し、混色の粘土を得る際に、どの色の粘土をどの程度混ぜればよいのか、分量の加減が困難であった。特に、子供の場合、分量を間違えて、所望の混色の粘土が得られないことが多々あった。
【考案の概要】
【考案が解決しようとする課題】
【０００３】
しかしながら、上記した従来の混色の粘土を得る際の分量の加減の困難さに対し、簡便に適切な分量の粘土を量ることのできる粘土計量カップが存在しなかった。
【０００４】
本考案は、上記した課題を解決すべくなされたものであり、混色の粘土を得る際に、簡便に適切な分量の粘土を量ることのできる粘土計量カップを提供することを目的とするものである。
【課題を解決するための手段】
【０００５】
上記した目的を達成するため、本考案は、複数の粘土を配合し、混色の粘土を得る際に使用する粘土計量カップであって、所定の容量の第一の計量凹部と、第一の計量凹部の容量と異なる所定の容量の第二の計量凹部とを有することを特徴とする。
【０００６】
そして、本考案に係る粘土計量カップは、前記第一の計量凹部及び前記第二の計量凹部の容量と異なる所定の容量の第三の計量凹部を有することを特徴とする。
【０００７】
また、本考案に係る粘土計量カップにおいて、前記第二の計量凹部の容量が前記第一の計量凹部の容量の２倍であり、前記第三の計量凹部の容量が前記第二の計量凹部の容量の２倍であることを特徴とする。
【０００８】
さらに、本考案に係る粘土計量カップにおいて、前記第一の計量凹部に目盛を設けたことを特徴とする。
【０００９】
さらに、また、本考案に係る粘土計量カップにおいて、前記計量凹部の形状がそれぞれ略直方体であることを特徴とする。
【００１０】
さらに、前記各計量凹部の近傍に該各計量凹部を指定する印が記されていることを特徴とする。
【００１１】
さらに、前記各計量凹部の周囲に立ち上がり部が突設されており、該立ち上がり部に当接可能な粘土計量カップ用蓋を備えていることを特徴とする。
【考案の効果】
【００１２】
本考案によれば、簡便に適切な分量の粘土を量ることができ、混色の粘土を簡便かつ適切に得ることができる等、種々の優れた効果を得ることができる。
【図面の簡単な説明】
【００１３】
【図１】本考案の実施の形態に係る粘土計量カップの平面図を示す。
【図２】本考案の実施の形態に係る粘土計量カップのＡ−Ａ断面図を示す。
【図３】本考案の実施の形態に係る粘土計量カップに付属するテキストの一例を示す図である。
【考案を実施するための形態】
【００１４】
以下、図面を参照しつつ、本考案の実施の形態に係る粘土計量カップ１について説明する。
【００１５】
粘土計量カップ１は粘土セットの一部品であり、この粘土セットは、粘土計量カップ１と、ヘラ、取手、粘土シート、テキストなどの付属品の他、粘土計量カップ１とそれらの付属品を収納するケースと、該ケースの上面開口を覆うカバーと、を備えて構成されている。
【００１６】
図１に示されているように、粘土計量カップ１は、ポリプロピレン製で、平面視で矩形状の外形を有し、縦５０ｍｍ×横８０ｍｍ×高さ８ｍｍの外形寸法を有している。また、粘土計量カップ１の底部外周には鍔部５０が形成されており、これにより、粘土計量カップ１を机等に置いて作業する時、がたつかずに安定して置くことができる。
【００１７】
粘土計量カップ１の表面には、第１の計量凹部１１、第２の計量凹部１２、及び第３の計量凹部１３のそれぞれ容量の異なる３個の計量凹部が形成されている。各計量凹部１１，１２，１３は略直方体形状を有しており、各計量凹部１１，１２，１３の開口部周縁には立ち上がり部２１，２２，２３がそれぞれ突設されている。
【００１８】
第一の計量凹部１１は、縦３０ｍｍ×横７．５ｍｍ×高さ７ｍｍの内部寸法を有し、第二の計量凹部１２は、縦３０ｍｍ×横１５ｍｍ×高さ７ｍｍの内部寸法を有し、第三の計量凹部１３は、縦３０ｍｍ×横３０ｍｍ×高さ７ｍｍの内部寸法を有している。すなわち、第二の計量凹部１２の容量が第一の計量凹部１１の容量の２倍となり、第三の計量凹部１３の容量が第二の計量凹部１２の容量の２倍となるように形成されている。
【００１９】
また、粘土計量カップ１の表面には、各計量凹部１１，１２，１３の近傍に該各計量凹部１１，１２，１３を指定する印３１，３２，３３が記されている。この場合、第一の計量凹部を指定する印３１として数字の「１」が記され、第二の計量凹部を指定する印３２として数字の「２」が記され、第三の計量凹部を指定する印３３として数字の「３」が記されている。
【００２０】
さらに、粘土計量カップ１の表面には、各計量凹部１１，１２，１３と該各計量凹部１１，１２，１３を指定する印３１，３２，３３との間に、横方向に直線状の溝４０が形成されている。
【００２１】
前記ヘラ及び前記取手は、特に図示しないが、いずれもポリプロピレン製であり、前記ヘラは、粘土をこねたりする時や、計量凹部１１，１２，１３に入れた粘土を量り取る時などに使用され、前記取手は、粘土計量カップ１を持ち運びする時に使用されるものである。
【００２２】
前記カバー及び前記粘土シートは、特に図示しないが、いずれもポリエチレン製であり、前記粘土シートは、粘土を使用する際に、机等の上に敷かれ、粘土が机等の上に直接置かれて該机等が汚されるのを防止するためのものである。
【００２３】
前記テキストは、粘土を使用する際の注意事項、粘土計量カップ１の使用方法、所定の混色の粘土の作り方、粘土細工の作り方（「キリンのつくりかた」、「ゾウのつくりかた」）などを記載した説明書である。例えば、前記テキストには、所定の混色の粘土の作り方の説明として、図３に示されているように、各計量凹部１１，１２，１３を指定する数字と共に該指定された数字の計量凹部１１，１２，１３に入れる粘土の配色と、該配色の粘土を混ぜて得られる色が分かりやすく例示して記載されている。
【００２４】
上記した構成を備えた粘土計量カップ１を使用する場合、前記テキスト中の所定の混色の粘土の作り方の説明を参照して、各計量凹部１１，１２，１３に所定の配色の粘土を入れて計量した後、前記ヘラにより各計量凹部１１，１２，１３から前記所定の配色の粘土をそれぞれ取り出して混ぜることにより、所定の混色の粘土を得ることができる。
【００２５】
例えば、図３の３段目に示されているように、数字の「３」（第三の計量凹部１３を指定する印３３）で指定される第三の計量凹部１３に「きいろ」の粘土と入れると共に、数字の「２」（第二の計量凹部１２を指定する印３２）で指定される第二の計量凹部１２に「あお」の粘土を入れて、量り取り、混ぜると「みどり」ができるという具合である。このように混合比（「３きいろ＋２あお→みどり」）を指定することで、子供であっても分量を間違えずに所望の混色の粘土を簡単に得られるようになる。
【００２６】
この時の配色の指定は、図３に示すように、「２あか＋２きいろ→オレンジ」（図３の１段目参照）、「１きいろ＋２しろ→クリーム」（図３の２段目参照）、「１あお＋１しろ→みずいろ」（図３の４段目参照）、「１ピンク＋２しろ→うすピンク」（図３の５段目参照）、「３ピンク＋１あお→むらさき」（図３の６段目参照）、「２ピンク＋２きいろ＋１の１／４あお→ちゃいろ」（図３の７段目参照）等、他にもいろいろな配色の指定が可能である。
【００２７】
なお、容量の異なる３個の計量凹部１１，１２，１３のうちで最も容量の小さい第一の計量凹部１１には目盛を設けてもよい。これにより、例えば、「２ピンク＋２きいろ＋１の１／４あお→ちゃいろ」（図３の７段目参照）の場合のように、第１の計量凹部の１／４の分量を量り取る必要のある場合や、１／２や１／３などの分量の粘土を量り取る場合でも、簡単且つ確実に行うことができる。
【００２８】
また、特に図示しないが、各計量凹部１１，１２，１３を覆うように蓋を設けてもよく、この蓋は各計量凹部１１，１２，１３を覆う際に内面が立ち上がり部２１，２２，２３に当接可能なように形成されているのが好ましい。この場合、蓋を使用して、所定の配色の計量凹部１１，１２，１３に粘土を入れて量り取る際に計量凹部１１，１２，１３の開口部を覆うと、前記蓋の内面が立ち上がり部２１，２２，２３に当接して、計量凹部１１，１２，１３に入りきらない余分な粘土が、立ち上がり部２１，２２，２３からはみだすため、計量凹部１１，１２，１３に少し多めの粘土を入れることにより正確な分量の粘土を量り取ることができる。
【００２９】
このように本考案の実施の形態に係る粘土計量カップ１には、それぞれ容量の異なる３個の計量凹部１１，１２，１３が設けられているため、適量の粘土を混ぜ合わせ、所望の混色の粘土を得ることができると共に、多様な色の粘土を得ることができる。
【００３０】
また、第二の計量凹部１２の容量が第一の計量凹部１１の容量の２倍で、第三の計量凹部１３の容量が第二の計量凹部１２の容量の２倍であるため、簡単且つ確実に多様な色の粘土を得ることができる。
【００３１】
さらに、計量凹部１１，１２，１３の形状がそれぞれ略直方体であるため、粘土を量り取る際に、粘土の取りこぼしがなく、きれいに量り取ることができる。
【００３２】
なお、上記した本発明の実施の形態の説明では、計量凹部１１，１２，１３を３個設けた場合について説明したが、これは単なる例示に過ぎず、計量凹部の個数は２個以上であれば、任意の個数を設けることが可能である。
【００３３】
また、各計量凹部１１，１２，１３の容量の比は、上記した比（第一の計量凹部１１の容量：第二の計量凹部１２の容量：第三の計量凹部１３の容量＝１：２：４）に限定されるものではなく、混色を実現できる比であれば、任意の比が可能である。
【００３４】
さらに、計量凹部１１，１２，１３の形状は、本実施形態では略直方体を採用しているが、粘土を量り取ることができるものであれば、任意の形状が可能である。
【００３５】
さらに、各計量凹部１１，１２，１３を指定する印３１，３２，３３は上記した数字の他、アルファベットや記号等、識別可能なものであれば任意の印を用いることが可能である。
【００３６】
さらに、この粘土計量カップ１に用いる粘土は、特に限定されないが、こむぎ粘土が好適に使用できる。
【符号の説明】
【００３７】
１  粘土計量カップ
１１  第一の計量凹部
１２  第二の計量凹部
１３  第三の計量凹部
２１  第一の計量凹部の立ち上がり部
２２  第二の計量凹部の立ち上がり部
２３  第三の計量凹部の立ち上がり部
３１  第一の計量凹部を指定する印
３２  第二の計量凹部を指定する印
３３  第三の計量凹部を指定する印
【図１】
0003172111.tif 000003
【図２】
0003172111.tif 000004
【図３】
0003172111.tif 000005